(57)【要約】    【課題】  本発明は、高齢者、障害者や、傷病人が如何なる場所で使用しても、安定して使用することができる特に、松葉杖に対して機能を発揮する杖の石突き装置の提供を目的とする。    【解決手段】  杖本体部１１を地面に対して点接触で点支持部１６により支持する支持部材１５を備えて構成した杖１０、６０、７０の石突き装置１２であって、上記支持部材１５を、たわみ変形が可能な弾性結合部材１３を介して上記杖本体部１１の下端部に連結し、上記点支持部１６を複数点とし、該点支持部１６を仮想同一平面上に配設するとともに、少なくとも上記杖本体部１６の軸線上からずらした位置に上記複数の上記点支持部１６を配設し、前記支持部材１５を、点支持部１６間に地面の凸部が入り込む空間を形成できる大きさに設定した杖の石突き装置１２。  【選択図】    図１
2005058497.tif 000002
【特許請求の範囲】
【請求項１】
杖本体部を地面に対して点接触で点支持部により支持する支持部材を備えて構成した杖の石突き装置であって、
上記支持部材を、たわみ変形が可能な弾性結合部材を介して上記杖本体部の下端部に連結し、
上記点支持部を複数点とし、該点支持部を仮想同一平面上に配設するとともに、少なくとも上記杖本体部の軸線上からずらした位置に上記複数の上記点支持部を配設した杖の石突き装置。
【請求項２】
上記支持部材と上記弾性結合部材との間に該弾性結合部材の下部よりも大径の取付け部材を介在させて形成した
請求項１に記載の杖の石突き装置。
【請求項３】
上記取付け部材、及び、弾性結合部材における上記杖本体部よりも外周方向に張り出した部位の上側空間を閉塞する円錐状の閉塞手段を形成した
請求項１、又は、２に記載の杖の石突き装置。
【請求項４】
上記支持部材を、弾性部材を用いて形成した
請求項１、２、又は、３に記載の杖の石突き装置。
【請求項５】
上記弾性結合部材を、ゴム部材にバネを内蔵して一体に形成した
請求項１から４のいずれか１項に記載の杖の石突き装置。
【請求項６】
上記支持部材を着脱可能に形成した
請求項１から５のいずれか１項に記載の杖の石突き装置。
【請求項７】
上記取付け部材を着脱可能に形成した
請求項１から６のいずれか１項に記載の杖の石突き装置。
【請求項８】
上記弾性結合部材を着脱可能に形成した
請求項１から７のいずれか１項に記載の杖の石突き装置。
【請求項９】
複数の上記点支持部うち少なくとも１つを、吸盤で形成した
請求項１から８のいずれか１項に記載の杖の石突き装置。
【発明の詳細な説明】
【技術分野】
【０００１】
この発明は、高齢者、障害者や、傷病人が使用する杖の石突き装置に関する。
【背景技術】
【０００２】
従来から、上述した人々が杖を用いて歩行動作、あるいは起立動作を行う際、より安定して支持するため様々な杖が提案されている。
【０００３】
例えば、先行技術１（特許文献１参照）における杖は、地面に接地する接地部（以下、支持部材という）を、杖本体の基部にフレキシブルジョイントを介して連結している。また、接地部は、杖本体を垂直状態に保持できる程度の大きさを有している。
【０００４】
上記構成により、杖を地面に接地したとき、上記フレキシブルジョイントがたわみ変形することで上記支持部材と上記杖本体部との相対角度を自由に変えることができる。よって、上記支持部材は、下面を面状に形成することで水平な地面に対して杖を下ろした時に面接触させることができる。なお、必要に応じて、上記杖の上記支持部材の下面には、滑り止めを形成する（文献１の図３参照）が、上記構成により、上記支持部材は、摩擦力を向上させることができ、地面に対して面接触したときの安定性を維持できる。
【０００５】
しかし、上記杖は、例えば、図１０に示すごとく、杖（支持部材２３）を階段の上段面１７に接地した場合において歩行者が杖に力を付与すれば、フレキシブルジョイント１３がたわみ変形し、階段の上段面１７において、支持部材２３は、角部２０と線接触状態となる。（図１０においては、奥行きを現していないため、点接触状態に現している）
これにより、上記高齢者等の歩行者が踏ん張ろうとして杖に体を預けたとき、支持部材２３は、角部２０に対して上側から力を付与することとなるため、支持部材２３は、角部２０上をスリップし易くなる。よって、歩行者は、階段を横転してしまう危険性が高くなる。  
すなわち、上記に示したとおり、たとえ支持部材２３の下面を面状に形成しても、階段等の凹凸を含む接地面においては、逆に安定して杖を接地できないため、危険性を伴うこととなる。
【０００６】
ここで、上記傷病人等の歩行者が松葉杖で歩行する動作に着目すると、松葉杖の下端部を前方の地面に接地し、該地面への接地点を支点として松葉杖に自身の体重をあずけた状態で歩行者は体重移動する。このような動作においては、支持部材は、さらにスリップし易くなり、対策を検討する必要がある。
【０００７】
また、松葉杖の支持部材が面状であれば、階段等において着地する水平面が狭い場合には、歩行者は、接地部の半分以上が階段の水平面上に着地したかを意識して着地する必要がある。歩行者が角部に接地部を接触したまま体重移動を行おうとすると、上述するごとく接地部がスリップして危険である。
【０００８】
このように、接地部を面状とすることで、特に、階段や接地面が狭いところで使用する場合には、逆に危険になる。
【０００９】
【特許文献１】特開２００３−１５３７１６号公報
【発明の開示】
【発明が解決しようとする課題】
【００１０】
そこで、本発明は、高齢者、障害者や、傷病人が如何なる場所で使用しても、安定して使用することができ、特に、松葉杖に対して機能を発揮する杖の石突き装置の提供を目的とする。
【課題を解決するための手段】
【００１１】
本発明は、杖本体部を地面に対して点接触で点支持部により支持する支持部材を備えて構成した杖の石突き装置であって、上記支持部材を、たわみ変形が可能な弾性結合部材を介して上記杖本体部の下端部に連結し、上記点支持部を複数点とし、該点支持部を仮想同一平面上に配設するとともに、少なくとも上記杖本体部の軸線上からずらした位置に上記複数の上記点支持部を配設した杖の石突き装置であることを特徴とする。
【００１２】
上記弾性結合部材は、ゴム部材、コイルバネ、板バネ、あるいはゴム部材にバネを内蔵して一体に形成した部材等、たわみ変形が可能な部材で形成することができる。
【００１３】
また、上記支持部材は、１つの該支持部材につき、複数の点支持部を備えて形成してもよい。この場合、１つの上記支持部材を、上記杖本体部に上記弾性結合部材を介して連結し、複数の点支持部で杖本体部を支持することができる。  
また、該１つの支持部材につき、１つの上記点支持部を備えて上記支持部材を形成してもよい。この場合、複数の上記支持部材を、上記杖本体部に上記弾性結合部材を介して連結し、複数の点支持部で杖本体部を支持することができる。
【００１４】
さらに、上記支持部材は、ゴム部材、バネ等の弾性部材を用いて形成することができる。例えば、上記支持部材全体を、あるいは上記支持部材における点支持部のみを、上記弾性部材で形成することができる。  
加えて、上記支持部材の複数の上記点支持部うち少なくとも１つを、吸盤で形成する、あるいはＲ加工を施して形成する等任意に形成することができる。
【００１５】
また、上記支持部材と上記弾性結合部材との間に該弾性結合部材の下部よりも大径の取付け部材を介在させて形成してもよい。上記構成を採れば、１つの上記支持部材につき、１つの上記点支持部を備えて形成する場合には、各支持部材を上記本体支持部の軸線上から容易にずらして取り付けることができるため好ましい。
【００１６】
上記構成に対して、好ましくは上記取付け部材、及び、弾性結合部材における上記杖本体部よりも外周方向に張り出した部位の上側空間を閉塞する円錐状の閉塞手段を形成するとよい。
【００１７】
上記閉塞手段は、例えばビニール、布等の面状体等、上記上側空間を閉塞できる手段であればよい。
【００１８】
上記構成を採れば、杖使用時に外周方向に張り出した部位が外的環境に引っ掛かることがなくスムーズに杖を運ぶ動作を行うことができる。
【００１９】
上記閉塞手段の杖への取り付けを、さらに強固にするために、上下方向の２点で行う場合には、例えば、取り付けた２点間に蛇腹形状を有する部材、あるいは弾性面状体等の伸縮可能な部材で形成したものを用いればよい。
【００２０】
上記構成により、弾性結合部材がたわみ変形する際に、伸縮するため、閉塞手段が突っ張ることがなく、本発明の石突き構造の機能を確保することがでる。
【００２１】
なお、上記閉塞手段の杖へ取り付ける際の固定手段には、スナップ、面ファスナ、スライドファスナ、紐部材、ゴム紐部材、ボタン、これらを組み合わせた部材等いずれの方法であっても構わない。
【００２２】
また、上記支持部材を上記弾性結合部材、あるいは取付け部材に対して着脱可能に形成する、上記取付け部材を弾性結合部材に対して着脱可能に形成する、あるいは上記弾性結合部材自体を杖本体部に対して着脱可能に形成してもよい。
【００２３】
なお、上記杖は、通常使用するタイプ以外にも、松葉杖、ロフトランドクラッチ、アンダーアームクラッチ、プラットホーム杖等様々なタイプの杖を含む。
【発明の効果】
【００２４】
この発明によれば、弾性結合部材を用いることで、接地面の形状に応じて、該弾性結合部材がたわみ変形して略全ての上記点支持部が地面に接地して杖を支持することができる。
【００２５】
さらに、点支持部を複数とし、全ての点支持部を軸線上からずらして形成することで、軸線上における点支持部間に空間を設けることができる。これにより上記弾性結合部材がたわみ変形したとき、上記空間に、凹凸形状の凸部（角部）を入り込ませることができる。すなわち、上記略全ての点支持部が地面に接地しようとするたわみ変形が阻害されることがない。
【００２６】
以上より、歩行者は、上記石突き装置を装着した杖を用いることで、接地面が傾斜面、あるいは階段等の凹凸を含む場合であっても、接地面が水平面である場合と同様に安定して歩行することができる。
【００２７】
また、上記杖の石突き装置は、上記構成により、点接触であっても、杖を押し付ける力に加えて曲げ応力（モーメント）による押し付け力が点支持部に作用するため、より確実に杖本体部を支持することができる。
【００２８】
また、この際、支持部材全体を弾性部材で形成すれば、地面に接地している際に支持部材自体もたわみ変形して曲げ応力が作用するため、さらに確実に杖本体部を支持することができる。
【００２９】
上記石突き装置は、上記杖が松葉杖の場合に特に有効となる。すなわち、歩行者が自身の体重をかけて移動するため、弾性結合部材をよりたわみ変形させて点支持部に曲げ応力を無理なく作用させることができる。
【００３０】
また、地面への接地点を支点として回動させながら体重移動するという松葉杖特有の動作においても、該動作に対応して、上記弾性結合部材が柔軟に変形し、歩行者は体重移動がし易い。よって、上記弾性結合部材を備えた本発明の石突き装置は、特に松葉杖に適しているといえる。
【００３１】
なお、地面との接地部を点支持部とすることで、雪道を歩行時において杖を接地したとき、雪中に支持部材が差し込まれることより、雪道であっても、安定性が向上する。
【００３２】
また、上記支持部材、あるいは、上記取付け部材を着脱可能に形成した場合、点支持部が磨耗したときに取り換えることができる。さらに、必要に応じて点支持部を吸盤で形成した支持部材に取り換えることも可能となる。また、上記弾性結合部材を着脱可能に形成した場合は、該弾性結合部材が疲労したときに取り換えることができる。このため上記石突き装置は、経済的であり、環境にも優しい。
【００３３】
さらに、上記閉塞手段を形成することにより、歩行時に石突き装置（特に取付け部材）が、階段の角部、あるいは柵等の外的環境に引っ掛かることを防止することができるとともに、歩行動作に支障を来すことがない。
【発明を実施するための最良の形態】
【００３４】
この発明の一実施形態を、以下図面を用いて説明する。  
図１は、杖本体部１１の先端部に本発明の石突き装置１２を構成した松葉杖１０の正面図を示す。図２は、図１における上記石突き装置１２を拡大して１部断面で表した正面図（ａ）と、上記石突き装置１２の底面図（ｂ）である。
【００３５】
図１、図２に示すごとく松葉杖１０は、杖本体部１１における下部に円筒状の金属で形成したシャフト部１１ａを形成している。シャフト部１１ａの下端部からボルト１１ａａが突き出し、該ボルト１１ａａによって、上記石突き装置１２が螺合により取り付いている。  
以下、上記石突き装置１２の構成について説明を行う。
【００３６】
上記シャフト部１１ａの下端部には、シャフト部１１ａの径より大径の上面を備えた弾性結合部材１３が取り付いている。  
また、上記弾性結合部材１３は、上面、及び、下面に位置する金属部材１３ａ、１３ｂの間にゴム部材１３ｃを位置させて末広がり状に傾斜した形態で一体に形成している。上記弾性結合部材１３の上面の中心部には、螺子穴１３ｄを形成し、下面の中心部には、ボルト１４ａが突き出している。
【００３７】
上記弾性結合部材１３のシャフト部１１ａへの取り付けは、シャフト部１１ａの下端部の中心部から下方に突き出した上記ボルト１１ａａと、該弾性結合部材１３の上面の螺子穴１３ｄとを螺合して一体としている。  
なお、シャフト部１１ａの下面と、弾性結合部材１３とを、より強固に一体に形成する場合は、上述するごとく螺合するのに加えて、ゴム部材１３ｃと金属部材１３ｂとを固着してもよい。  
また、弾性結合部材１３におけるゴム部材１３ｃにはバネを内蔵して、より頑丈に形成してもよい。
【００３８】
さらに、上記弾性結合部材１３の下面には、金属製の直径が例えば、８５ｍｍの円板状に形成した取付け部材１４を取り付けている。  
なお、上記取付け部材１４は、使用する人の体重や装着する杖のタイプによって直径が異なるが、目安として３０ｍｍから１５０ｍｍ程度の範囲内で使用形態に応じて形成する。
【００３９】
上記取付け部材１４は、上記弾性結合部材１３よりも径大に形成し、円周を４等分配する４つの外周側部位、及び、円板状の中心部に、合計４つの貫通孔を形成している。
【００４０】
上記弾性結合部材１３と上記取付け部材１４との取り付けは、弾性結合部材１３の下面で突き出した上記ボルト１４ａに、取付け部材１４の中央部における上記貫通孔に貫通させて下側からナット１４ｂで該取付け部材１４を挟持すべく、ナット１４ｂを締め付けて行う。
【００４１】
また、上記杖本体部１１を支持する支持部材１５は、上部が円板状の金属片１５ａで、該金属片１５ａの下面に例えば長さ、直径がそれぞれ３２ｍｍ、２５ｍｍの円柱状のゴム部材１５ｂを固着して形成している。  
なお、支持部材１５も、使用する人の体重や装着する杖のタイプによって長さ、直径が異なるが、目安として長さは、１０ｍｍから５０ｍｍ、直径は、１０ｍｍから４０ｍｍ程度の範囲内で使用形態に応じて形成する。
【００４２】
さらに、上記支持部材１５内には、ボルト１５ｅの螺合部を該支持部材１５の上面から突き出した形態で介在させて形成している。  
なお、上記支持部材１５における先端部の側面形状は、テーパ形状として地面と接触する点支持部１６を径細に構成している。
【００４３】
さらに、４本の支持部材１５を上記取付け部材１４における外周側に形成した４つの上記貫通孔に、下側からそれぞれ挿通し、上側からナット１５ｃによって締め付けて支持部材１５を取り付けている。  
なお、上記支持部材１５を上記取付け部材１４に取り付けたとき、上記取付け部材１４の外周端部１４ｃと上記支持部材１５の外側に位置する部位１５ｄとが面一致となるように取り付いている。ちなみに、上記構成の場合、このように取り付けたときの対角線上に位置する一対の支持部材１５における中心どうしの間隔は６０ｍｍとなる（目安として３０から５０ｍｍ程度の範囲内で使用形態に応じて形成する）。  
上記構成により、松葉杖１０の石突き装置１２を構成している。
【００４４】
次に、図３に示すごとく歩行者が上記構成を採る松葉杖１０を用いて階段を上昇動作する場合、松葉杖１０を接地したとき、石突き装置１２における４つの支持部材１５のうち、２つの支持部材１５が階段の上段面１７に、残りの２つの支持部材１５が下段側に位置し、階段の段差部（角部）をまたがる形態で接地した状態について着目する。
【００４５】
この際、歩行者が松葉杖１０に体重をあずけて松葉杖１０を押し付けたとき（押し付け力Ｆとする）、まず、上段面１７に２つの支持部材１５が接地するとともに、弾性結合部材１３がたわみ変形する。このようにたわみ変形することで、下段面１８においても２つの支持部材１５が接地する。
【００４６】
なお、上段面１７に接地している点支持部１６にはＦ’の力が作用しているとする。
【００４７】
ここで、上記たわみ変形が生じることにより、上段面１７に接地した２つの支持部材１５における各点支持部１６には曲げ応力Ｍ（Ｆ’×Ｌ１）が作用する。上記曲げ応力Ｍが作用する分だけ該各点支持部１６は上段面１７をさらに強く押し付けることができる。
【００４８】
すなわち、弾性結合部材１３を用いるとともに、松葉杖１０の重心軸線上２１からずらした距離（Ｌ１）を確保して、２つの点支持部１６で支持できる。よって、該点支持部１６が上段面１７における、手前側（角部２０付近）あるいは、角部２０よりもさらに奥側に接地されようが、略一定の曲げ応力による押し付け力を得ることができる。
【００４９】
また、上記点支持部１６が上段面１７における、角部２０よりもさらに奥側に接地された場合であっても、各支持部材１５の間の空間、すなわち、取付け部材１４の下側の空間に角部２０が入り込み、該角部２０が石突き装置１２に当接しないため、全ての点支持部１６が地面に接地するまで弾性結合部材１３をたわみ変形させることができる。
【００５０】
ちなみに、図１０に示すごとく支持部材２３の下面を面状に形成した場合、上述と同様にたわみ変形するが、上段面１７については、角部２０によって点接触で支持され、該点支持部１６には、該角部２０を押さえつける曲げ応力が作用する。
【００５１】
そして、この場合、松葉杖１０の重心軸線上２１と角部２０との間の距離（Ｌ２）が上記Ｌ１よりも短くなってしまうため、歩行者が上述と同じ大きさの力（Ｆ）を付与しても、上述の場合と比較して曲げ応力Ｍ’（Ｆ’×Ｌ２）は小さくなる。  
なお、例えば、重心軸線２１が角部２０と接近した状態で支持部材１５を接地すれば、松葉杖１０の重心軸線上２１と角部２０との間の距離（Ｌ２）がさらに小さくなるため、殆ど曲げ応力が作用しない。
【００５２】
また、図４（ａ）に示すごとく階段の段差部１９が大きい場合において、歩行者が接地面２４における、松葉杖１０の重心軸線２１が接地面からずれた部位に松葉杖１０を接地したとき、宙に浮いた状態に着目する。  
なお、図４では、見易さを優先して、構造を簡略化して現した。
【００５３】
上記状態で歩行者が松葉杖１０に体重をあずけると、弾性結合部材１３は、たわみ変形するが、図４（ｂ）に示すごとく上記石突き装置１２を備えた松葉杖１０は、上述と同様に支持部材１５における接地面２４に接触している点接地部１６には強力な曲げ応力が作用して確実に支えることができる。
【００５４】
しかも、点支持部１６は、水平な接地面上に接地した状態を維持することができ、力が作用してもスリップしてしまうことがなく、安定して支持することができる。
【００５５】
これに対して石突き装置２２の支持部材２３の下面を面状に形成した場合、図４（ｃ）に示すごとく歩行者が松葉杖１０に体重をあずけると、松葉杖１０の重心軸線２１が接地面２４からずれているため、弾性結合部材１３がたわみ変形すると、図４（ｄ）に示すごとく支持部材２３がスライドして滑り落ちてしまうため危険である。  
なお、仮に、支持部材１５をゴム等の弾性部材で形成しても歩行者が松葉杖１０に体重をあずけると、支持部材２３は歩行者を支持することができず支持部材２３が湾曲変形して滑り落ちてしまうため危険である。  
ここで、図４（ｂ）に示すごとく、松葉杖１０に体重をあずけているときの支持部材１５について着目する。  
支持部材１５は、略全体をゴム部材で形成しているため、支持部材１５（特に点支持部１６）が圧縮されて縮むことで接地面２４と、より密着する。  
しかも、支持部材１５自体もたわみ変形することによって生じる曲げ応力を、点支持部１６に作用させることができるため、より接地面２４に押し付けることができる。
【００５６】
また、上記石突き装置３０は、上記階段以外にも図５に示すごとく傾斜した地面３７、あるいは凹凸形状の地面３８であっても、好適な使用環境であるといえる。  
なお、図５においても図４と同様に、見易さを優先して、構造を簡略化して現した。
【００５７】
すなわち、図５（ａ）、（ｂ）において、歩行者が杖を接地すると、まず、任意の点支持部１６が地面３７、３８に接地するが、この点支持部１点による支持では杖は、不安定である。しかし、さらに歩行者が杖に体を預けることで、弾性結合部材１３は、たわみ変形するため、略全ての点支持部１６を地面３７、３８に接地することができる。
【００５８】
しかも、ここで、図５（ｂ）の場合に着目すると、上記石突き装置１２を、複数の点支持部１６により地面３８に対して接地するように構成することで、弾性結合部材１３がたわみ変形しても、各支持部材１５の間の空間３９、すなわち、取付け部材１４の下側の空間３９に、凹凸形状の地面の凸部３８ａが入り込み、該凸部３８ａが直接、支持部材１５や取付け部材１４等に当接しない。  
よって、略全ての点支持部１６を地面に接地させることができる。
【００５９】
ちなみに、図５（ｃ）、（ｄ）に示すごとく、石突き装置３０を複数点支持の構成とし、上記弾性結合部材１３を用いずに形成した杖の場合、上記地面３７、３８に接地すれば、基本的に初めに地面３７、３８と接触した１点でのみ杖（歩行者）を支持することとなる。  
この場合、１点支持であり、しかも点支持部１６が重心軸線上２１からずれているため不安定であり、地面３７、３８が濡れているとき等は特によくスリップしてしまい危険である。
【００６０】
またこの場合、杖を複数点で支持するためには、歩行者が接地面３７、３８の形状に応じて杖を傾ける必要がある。  
特に図５（ｄ）においては、凹凸形状の激しい地面３８においては、頻繁に杖を傾ける必要があり、杖としての機能を果たさない。
【００６１】
さらに、図５（ｅ）、（ｆ）に示すごとく、弾性結合部材１３を用いて構成し、支持部材２３を面状に形成した場合において、特に図５（ｅ）に示すごとく、傾斜面３７においては、該傾斜面３７の傾斜角度に応じて弾性結合部材１３がたわみ変形し、支持部材２３全体が地面３７に接地して杖を支えることができる。  
しかし、図５（ｆ）に示すごとく、上記凹凸形状の地面２８に杖を接地する場合、たわみ変形しようとするが、凹凸形状については、面支持することができず、安定して接地できないため、スリップしてしまう危険性がある。
【００６２】
以上より、上記石突き装置３０を装着した杖を用いることで、歩行者は、接地面が傾斜面３７、あるいは上記凹凸形状を含む地面３８であっても、水平面である場合と同様に安定して歩行することができる。
【００６３】
また、支持部材１５は、図６に示すごとく構成してもよい。  
すなわち、図６（ａ）に示すごとく、支持部材３１における点支持部３２を、吸盤で形成すれば、接地面２４が濡れて滑りやすい場合に効果的である。  
また、図６（ｂ）の場合は、支持部材３３における点支持部３４を、湾曲形状に形成すれば、歩行者が体重移動する際において、接地面２４に対して、松葉杖１０を傾いて接地しても点支持部３４を支点として安定して移動することができる。
【００６４】
なお、上記石付き装置１２は、点支持部１６を、全て松葉杖１０のシャフト部１１ａの軸線上２１をずらして形成したが、それらに加えて、上記支持部材１５（点支持部１６）を上記松葉杖１０の軸線上２１にも形成しても構わない。
【００６５】
上記構成を採れば、弾性結合部材１３が極端にたわみ変形したときに、取付け部材１４の中央部が直接、角部２０に当接せず、上記支持部材１５（点支持部１６）で支持することができる。
【００６６】
さらに、他の実施例として、上記石突き装置１２は、上記取付け部材１４を介さずに、直接支持部材１５を弾性結合部材１３の下部に取り付けて形成してもよい。例えば、図６（ｃ）に示すごとく、１つの支持部材３５につき点支持部３６を例えば、４つ（図では正面側の２つのみ表示）構成する等、１つの支持部材３５に対して複数の点支持部３６を構成して上記石突き装置１２を形成することができる。
【００６７】
また、ここでは、歩行者が松葉杖１０を用いて移動する場合を例に採り説明を行ったが、松葉杖１０の場合、歩行者は、意識的に力を付与せずとも自身の体重をあずけるだけで、弾性結合部材１３にたわみ変形させるだけの力を付与することができる。
【００６８】
このため、容易に大きな曲げ応力が発生させて確実に歩行者を支持することができる。すなわち、本発明の石突き装置１２は、図７に示すごとく松葉杖１０に限らず如何なる杖６０においても用いることができるが、松葉杖１０や図８に示す、ロフトランドクラッチ７０等の歩行者が自身の体重を積極的に付与して使用するタイプの杖が特に適しているといえる。
【００６９】
例えば、上記石突き装置１２を松葉杖１０に装着し、弾性係数の値が大きい弾性結合部材を用いた場合に着目する。この場合、歩行者は、松葉杖１０の下端を前方の地面に接地し、該接地した点を支点として歩行者が松葉杖１０を回動させて体重移動する。
【００７０】
この動作において、たわみ変形した弾性結合部材には、松葉杖１０を直立させようとする復元力が作用する。すなわち、上記復元力によって歩行者は、前方に体重を移動し易くなる。
【００７１】
また、今度は、歩行者が体重移動の後に着地する際にも、上述と同様にたわみ変形した弾性結合部材には、松葉杖１０を直立させようとする復元力が作用する。すなわち、上記復元力は、該着地する動作を緩衝させる方向に作用するため、歩行者が傷病人であっても安定して着地できる。  
以上からも、上記石突き装置１２は、松葉杖１０に用いることが特に適しているといえる。
【００７２】
次に、他の実施例として、図９（ａ）、（ｂ）に示すごとく、上記杖本体部１１よりも外周方向に張り出した部位の上側空間を閉塞する円錐状の閉塞布部材７１、７５を形成してもよい。  
図９（ａ）における上記閉塞布部材７１は、展開したとき台形形状をし、該台形形状の上端部に沿って紐部材７２が添着されている。上記紐部材７２は、該閉塞布部材７１の上端部における片側のみフラップ状に突き出している。
【００７３】
上記紐部材７２の先端の片面には、一方のスナップ７３ａを添着し、他方のスナップ７３ｂを上記閉塞布部材の上端部の反対側における、上記一方のスナップ７３ａを添着した面と反対側の面に添着している。
【００７４】
上記閉塞布部材７１の松葉杖１０への取り付けは、該閉塞布部材７１における上記紐部材７２を、上記シャフト部１１ａの下部における外周部に巻き付ける。さらに、歩行者は、上記一対のスナップ７３ａ、７３ｂを係止すれば取り付けることができる。  
以上により、上記シャフト部１１ａにおける、上記弾性結合部材１３よりも上記上側部位から、下降するにつれて外周方向に広がる側面形状となるよう上記弾性結合部材１３を囲繞することができる。
【００７５】
すなわち、上記構成を採れば、歩行中に松葉杖１０を次の接地点に移動する際、鉄柵や、石等に取付け部材１４が引っ掛かることがない。しかも、上記弾性結合部材１３がたわみ変形しても上記閉塞布部材７１の下端部は、自由端である。よって上記閉塞布部材によって歩行する動作が阻害されることがない。
【００７６】
また、図９（ｂ）に示すごとく、上記閉塞布部材７５は、上端部と同様に下端部にも上記紐部材７６、及びスナップ７７ａ、７７ｂを添着して上下両端部を該スナップ７７ａ、７７ｂで係止してもよい。
【００７７】
さらに上記閉塞布部材７５には、該閉塞布部材７５を杖本体部１１（シャフト部１１ａ）に取り付けたとき、側面に相当する外周面に上下方向の中央部に、上下に伸縮する所定の数の蛇腹伸縮部７８を形成している。
【００７８】
上記構成により、歩行中に、階段の角部、鉄柵や、石等に上記閉塞布部材７５が接触したときに捲れ上がることや、離間することもなく、確実に取付け部材１４が引っ掛かることを防止することができる。しかも、上記閉塞布部材７５における蛇腹伸縮部７８が収縮するため、上記閉塞布部材７５によって歩行動作が阻害されることがない。
【００７９】
その他、上記閉塞布部材７５をゴム等の弾性を有する材質で面状に形成してもよい。これにより蛇腹伸縮部７８を形成せずに上下両端を固定している状態であっても、該閉塞布部材７５を伸縮させることができる。
【００８０】
また、水平な地面に対して、上記石突き装置１２を装着した松葉杖１０は、上記点支持部１６を仮想同一平面上に配設し、該点支持部１６によって支持しているため、水平な地面に対して、何の支えも必要なく、直立させることができる。  
これにより、狭い店舗内等に持ち込んでも、邪魔にならないという効果を生じる。
【００８１】
また、松葉杖１０のように２本対で用いられる杖については、２本の杖を繋ぐ紐や、ベルト、スナップ等の係止手段を設けることで、かかる２本の杖を確実にまとめて直立させることができる。
【００８２】
上述の実施形態と、この発明の構成との対応において、
この実施形態の閉塞布部材７１、７５は、この発明の閉塞手段に対応するも、この発明は、上述の実施形態の構成のみに限定されるものではなく、多くの実施の形態を得ることができる。
【図面の簡単な説明】
【００８３】
【図１】本発明の石突き装置を装着した松葉杖の正面図。
【図２】本発明の石突き装置を一部断面で現した正面図（ａ）、本発明の石突き装置の底面図（ｂ）。
【図３】本発明の石突き装置の使用状態を現した正面図。
【図４】本発明の石突き装置の使用直前の状態図（ａ）、本発明の石突き装置の使用中の状態図（ｂ）、従来の石突き装置の使用直前の状態図（ｃ）、従来の石突き装置の使用中の状態図（ｄ）。
【図５】本発明の石突き装置の使用状態を現す正面図（ａ）、本発明の石突き装置の他の使用状態を現す正面図（ｂ）、従来の石突き装置の使用状態を現す正面図（ｃ）、従来の石突き装置の他の使用状態を現す正面図（ｄ）、従来の他の石突き装置の使用状態を現す正面図（ｅ）、従来の他の石突き装置の他の使用状態を現す正面図（ｆ）。
【図６】本発明の石突き装置の他の支持部材（ａ）、本発明の石突き装置のさらに他の支持部材（ｂ）、本発明の石突き装置の手段の他の支持部材（ｃ）。
【図７】本発明の石突き装置の装着した他の杖を現した正面図。
【図８】本発明の石突き装置の装着したさらに他の杖を現した正面図。
【図９】本発明の石突き装置の他の実施の形態を一部断面で現した正面図（ａ）、本発明の石突き装置のさらに他の実施の形態を一部断面で現した正面図（ｂ）。
【図１０】従来の石突き装置の使用状態を現す正面図。
【符号の説明】
【００８４】
１０…松葉杖
１１…杖本体部
１１ａ…シャフト部
１２…石突き装置
１３…弾性結合部材
１４…取付け部材
１５…支持部材
１６…点支持部
２１…松葉杖の重心軸線上
６０…杖
７０…ロフトランドクラッチ
７１、７５…閉塞布部材
【図１】
2005058497.tif 000003
【図２】
2005058497.tif 000004
【図３】
2005058497.tif 000005
【図４】
2005058497.tif 000006
【図５】
2005058497.tif 000007
【図６】
2005058497.tif 000008
【図７】
2005058497.tif 000009
【図８】
2005058497.tif 000010
【図９】
2005058497.tif 000011
【図１０】
2005058497.tif 000012
【手続補正書】
【提出日】平成15年11月13日(2003.11.13)
【手続補正１】
【補正対象書類名】特許請求の範囲
【補正対象項目名】全文
【補正方法】変更
【補正の内容】
【特許請求の範囲】
【請求項１】
杖本体部を地面に対して点接触で点支持部により支持する支持部材を備えて構成した杖の石突き装置であって、
上記支持部材を、たわみ変形が可能な弾性結合部材を介して上記杖本体部の下端部に連結し、
上記点支持部を複数点とし、該点支持部を仮想同一平面上に配設するとともに、少なくとも上記杖本体部の軸線上からずらした位置に上記複数の上記点支持部を配設し、
前記支持部材を、点支持部間に地面の凸部が入り込む空間を形成できる大きさに設定した
杖の石突き装置。
【請求項２】
上記支持部材と上記弾性結合部材との間に該弾性結合部材の下部よりも大径の取付け部材を介在させて形成した
請求項１に記載の杖の石突き装置。
【請求項３】
上記取付け部材、及び、弾性結合部材における上記杖本体部よりも外周方向に張り出した部位の上側空間を閉塞する円錐状の閉塞手段を形成した
請求項１、又は、２に記載の杖の石突き装置。
【請求項４】
上記支持部材を、弾性部材を用いて形成した
請求項１、２、又は、３に記載の杖の石突き装置。
【請求項５】
上記弾性結合部材を、ゴム部材にバネを内蔵して一体に形成した
請求項１から４のいずれか１項に記載の杖の石突き装置。
【請求項６】
上記支持部材を着脱可能に形成した
請求項１から５のいずれか１項に記載の杖の石突き装置。
【請求項７】
上記取付け部材を着脱可能に形成した
請求項１から６のいずれか１項に記載の杖の石突き装置。
【請求項８】
上記弾性結合部材を着脱可能に形成した
請求項１から７のいずれか１項に記載の杖の石突き装置。
【請求項９】
複数の上記点支持部うち少なくとも１つを、吸盤で形成した
請求項１から８のいずれか１項に記載の杖の石突き装置。
【手続補正２】
【補正対象書類名】明細書
【補正対象項目名】全文
【補正方法】変更
【補正の内容】
【発明の詳細な説明】
【技術分野】
【０００１】
この発明は、高齢者、障害者や、傷病人が使用する杖の石突き装置に関する。
【背景技術】
【０００２】
従来から、上述した人々が杖を用いて歩行動作、あるいは起立動作を行う際、より安定して支持するため様々な杖が提案されている。
【０００３】
例えば、先行技術１（特許文献１参照）における杖は、地面に接地する接地部（以下、支持部材という）を、杖本体の基部にフレキシブルジョイントを介して連結している。また、接地部は、杖本体を垂直状態に保持できる程度の大きさを有している。
【０００４】
上記構成により、杖を地面に接地したとき、上記フレキシブルジョイントがたわみ変形することで上記支持部材と上記杖本体部との相対角度を自由に変えることができる。よって、上記支持部材は、下面を面状に形成することで水平な地面に対して杖を下ろした時に面接触させることができる。なお、必要に応じて、上記杖の上記支持部材の下面には、滑り止めを形成する（文献１の図３参照）が、上記構成により、上記支持部材は、摩擦力を向上させることができ、地面に対して面接触したときの安定性を維持できる。
【０００５】
しかし、上記杖は、例えば、図１０に示すごとく、杖（支持部材２３）を階段の上段面１７に接地した場合において歩行者が杖に力を付与すれば、フレキシブルジョイント１３がたわみ変形し、階段の上段面１７において、支持部材２３は、角部２０と線接触状態となる。（図１０においては、奥行きを現していないため、点接触状態に現している）
これにより、上記高齢者等の歩行者が踏ん張ろうとして杖に体を預けたとき、支持部材２３は、角部２０に対して上側から力を付与することとなるため、支持部材２３は、角部２０上をスリップし易くなる。よって、歩行者は、階段を横転してしまう危険性が高くなる。  
すなわち、上記に示したとおり、たとえ支持部材２３の下面を面状に形成しても、階段等の凹凸を含む接地面においては、逆に安定して杖を接地できないため、危険性を伴うこととなる。
【０００６】
ここで、上記傷病人等の歩行者が松葉杖で歩行する動作に着目すると、松葉杖の下端部を前方の地面に接地し、該地面への接地点を支点として松葉杖に自身の体重をあずけた状態で歩行者は体重移動する。このような動作においては、支持部材は、さらにスリップし易くなり、対策を検討する必要がある。
【０００７】
また、松葉杖の支持部材が面状であれば、階段等において着地する水平面が狭い場合には、歩行者は、接地部の半分以上が階段の水平面上に着地したかを意識して着地する必要がある。歩行者が角部に接地部を接触したまま体重移動を行おうとすると、上述するごとく接地部がスリップして危険である。
【０００８】
このように、接地部を面状とすることで、特に、階段や接地面が狭いところで使用する場合には、逆に危険になる。
【０００９】
【特許文献１】特開２００３−１５３７１６号公報
【発明の開示】
【発明が解決しようとする課題】
【００１０】
そこで、本発明は、高齢者、障害者や、傷病人が如何なる場所で使用しても、安定して使用することができ、特に、松葉杖に対して機能を発揮する杖の石突き装置の提供を目的とする。
【課題を解決するための手段】
【００１１】
本発明は、杖本体部を地面に対して点接触で点支持部により支持する支持部材を備えて構成した杖の石突き装置であって、上記支持部材を、たわみ変形が可能な弾性結合部材を介して上記杖本体部の下端部に連結し、上記点支持部を複数点とし、該点支持部を仮想同一平面上に配設するとともに、少なくとも上記杖本体部の軸線上からずらした位置に上記複数の上記点支持部を配設し、前記支持部材を、点支持部間に地面の凸部が入り込む空間を形成できる大きさに設定した杖の石突き装置であることを特徴とする。
【００１２】
上記弾性結合部材は、ゴム部材、コイルバネ、板バネ、あるいはゴム部材にバネを内蔵して一体に形成した部材等、たわみ変形が可能な部材で形成することができる。
【００１３】
また、上記支持部材は、１つの該支持部材につき、複数の点支持部を備えて形成してもよい。この場合、１つの上記支持部材を、上記杖本体部に上記弾性結合部材を介して連結し、複数の点支持部で杖本体部を支持することができる。  
また、該１つの支持部材につき、１つの上記点支持部を備えて上記支持部材を形成してもよい。この場合、複数の上記支持部材を、上記杖本体部に上記弾性結合部材を介して連結し、複数の点支持部で杖本体部を支持することができる。
【００１４】
さらに、上記支持部材は、ゴム部材、バネ等の弾性部材を用いて形成することができる。例えば、上記支持部材全体を、あるいは上記支持部材における点支持部のみを、上記弾性部材で形成することができる。  
加えて、上記支持部材の複数の上記点支持部うち少なくとも１つを、吸盤で形成する、あるいはＲ加工を施して形成する等任意に形成することができる。
【００１５】
また、上記支持部材と上記弾性結合部材との間に該弾性結合部材の下部よりも大径の取付け部材を介在させて形成してもよい。上記構成を採れば、１つの上記支持部材につき、１つの上記点支持部を備えて形成する場合には、各支持部材を上記本体支持部の軸線上から容易にずらして取り付けることができるため好ましい。
【００１６】
上記構成に対して、好ましくは上記取付け部材、及び、弾性結合部材における上記杖本体部よりも外周方向に張り出した部位の上側空間を閉塞する円錐状の閉塞手段を形成するとよい。
【００１７】
上記閉塞手段は、例えばビニール、布等の面状体等、上記上側空間を閉塞できる手段であればよい。
【００１８】
上記構成を採れば、杖使用時に外周方向に張り出した部位が外的環境に引っ掛かることがなくスムーズに杖を運ぶ動作を行うことができる。
【００１９】
上記閉塞手段の杖への取り付けを、さらに強固にするために、上下方向の２点で行う場合には、例えば、取り付けた２点間に蛇腹形状を有する部材、あるいは弾性面状体等の伸縮可能な部材で形成したものを用いればよい。
【００２０】
上記構成により、弾性結合部材がたわみ変形する際に、伸縮するため、閉塞手段が突っ張ることがなく、本発明の石突き構造の機能を確保することがでる。
【００２１】
なお、上記閉塞手段の杖へ取り付ける際の固定手段には、スナップ、面ファスナ、スライドファスナ、紐部材、ゴム紐部材、ボタン、これらを組み合わせた部材等いずれの方法であっても構わない。
【００２２】
また、上記支持部材を上記弾性結合部材、あるいは取付け部材に対して着脱可能に形成する、上記取付け部材を弾性結合部材に対して着脱可能に形成する、あるいは上記弾性結合部材自体を杖本体部に対して着脱可能に形成してもよい。
【００２３】
なお、上記杖は、通常使用するタイプ以外にも、松葉杖、ロフトランドクラッチ、アンダーアームクラッチ、プラットホーム杖等様々なタイプの杖を含む。
【発明の効果】
【００２４】
この発明によれば、弾性結合部材を用いることで、接地面の形状に応じて、該弾性結合部材がたわみ変形して略全ての上記点支持部が地面に接地して杖を支持することができる。
【００２５】
さらに、点支持部を複数とし、全ての点支持部を軸線上からずらして形成することで、軸線上における点支持部間に空間を設けることができる。これにより上記弾性結合部材がたわみ変形したとき、上記空間に、凹凸形状の凸部（角部）を入り込ませることができる。すなわち、上記略全ての点支持部が地面に接地しようとするたわみ変形が阻害されることがない。
【００２６】
以上より、歩行者は、上記石突き装置を装着した杖を用いることで、接地面が傾斜面、あるいは階段等の凹凸を含む場合であっても、接地面が水平面である場合と同様に安定して歩行することができる。
【００２７】
また、上記杖の石突き装置は、上記構成により、点接触であっても、杖を押し付ける力に加えて曲げ応力（モーメント）による押し付け力が点支持部に作用するため、より確実に杖本体部を支持することができる。
【００２８】
また、この際、支持部材全体を弾性部材で形成すれば、地面に接地している際に支持部材自体もたわみ変形して曲げ応力が作用するため、さらに確実に杖本体部を支持することができる。
【００２９】
上記石突き装置は、上記杖が松葉杖の場合に特に有効となる。すなわち、歩行者が自身の体重をかけて移動するため、弾性結合部材をよりたわみ変形させて点支持部に曲げ応力を無理なく作用させることができる。
【００３０】
また、地面への接地点を支点として回動させながら体重移動するという松葉杖特有の動作においても、該動作に対応して、上記弾性結合部材が柔軟に変形し、歩行者は体重移動がし易い。よって、上記弾性結合部材を備えた本発明の石突き装置は、特に松葉杖に適しているといえる。
【００３１】
なお、地面との接地部を点支持部とすることで、雪道を歩行時において杖を接地したとき、雪中に支持部材が差し込まれることより、雪道であっても、安定性が向上する。
【００３２】
また、上記支持部材、あるいは、上記取付け部材を着脱可能に形成した場合、点支持部が磨耗したときに取り換えることができる。さらに、必要に応じて点支持部を吸盤で形成した支持部材に取り換えることも可能となる。また、上記弾性結合部材を着脱可能に形成した場合は、該弾性結合部材が疲労したときに取り換えることができる。このため上記石突き装置は、経済的であり、環境にも優しい。
【００３３】
さらに、上記閉塞手段を形成することにより、歩行時に石突き装置（特に取付け部材）が、階段の角部、あるいは柵等の外的環境に引っ掛かることを防止することができるとともに、歩行動作に支障を来すことがない。
【発明を実施するための最良の形態】
【００３４】
この発明の一実施形態を、以下図面を用いて説明する。  
図１は、杖本体部１１の先端部に本発明の石突き装置１２を構成した松葉杖１０の正面図を示す。図２は、図１における上記石突き装置１２を拡大して１部断面で表した正面図（ａ）と、上記石突き装置１２の底面図（ｂ）である。
【００３５】
図１、図２に示すごとく松葉杖１０は、杖本体部１１における下部に円筒状の金属で形成したシャフト部１１ａを形成している。シャフト部１１ａの下端部からボルト１１ａａが突き出し、該ボルト１１ａａによって、上記石突き装置１２が螺合により取り付いている。  
以下、上記石突き装置１２の構成について説明を行う。
【００３６】
上記シャフト部１１ａの下端部には、シャフト部１１ａの径より大径の上面を備えた弾性結合部材１３が取り付いている。  
また、上記弾性結合部材１３は、上面、及び、下面に位置する金属部材１３ａ、１３ｂの間にゴム部材１３ｃを位置させて末広がり状に傾斜した形態で一体に形成している。上記弾性結合部材１３の上面の中心部には、螺子穴１３ｄを形成し、下面の中心部には、ボルト１４ａが突き出している。
【００３７】
上記弾性結合部材１３のシャフト部１１ａへの取り付けは、シャフト部１１ａの下端部の中心部から下方に突き出した上記ボルト１１ａａと、該弾性結合部材１３の上面の螺子穴１３ｄとを螺合して一体としている。  
なお、シャフト部１１ａの下面と、弾性結合部材１３とを、より強固に一体に形成する場合は、上述するごとく螺合するのに加えて、ゴム部材１３ｃと金属部材１３ｂとを固着してもよい。  
また、弾性結合部材１３におけるゴム部材１３ｃにはバネを内蔵して、より頑丈に形成してもよい。
【００３８】
さらに、上記弾性結合部材１３の下面には、金属製の直径が例えば、８５ｍｍの円板状に形成した取付け部材１４を取り付けている。  
なお、上記取付け部材１４は、使用する人の体重や装着する杖のタイプによって直径が異なるが、目安として３０ｍｍから１５０ｍｍ程度の範囲内で使用形態に応じて形成する。
【００３９】
上記取付け部材１４は、上記弾性結合部材１３よりも径大に形成し、円周を４等分配する４つの外周側部位、及び、円板状の中心部に、合計４つの貫通孔を形成している。
【００４０】
上記弾性結合部材１３と上記取付け部材１４との取り付けは、弾性結合部材１３の下面で突き出した上記ボルト１４ａに、取付け部材１４の中央部における上記貫通孔に貫通させて下側からナット１４ｂで該取付け部材１４を挟持すべく、ナット１４ｂを締め付けて行う。
【００４１】
また、上記杖本体部１１を支持する支持部材１５は、上部が円板状の金属片１５ａで、該金属片１５ａの下面に例えば長さ、直径がそれぞれ３２ｍｍ、２５ｍｍの円柱状のゴム部材１５ｂを固着して形成している。  
なお、支持部材１５も、使用する人の体重や装着する杖のタイプによって長さ、直径が異なるが、目安として長さは、１０ｍｍから５０ｍｍ、直径は、１０ｍｍから４０ｍｍ程度の範囲内で使用形態に応じて形成する。
【００４２】
さらに、上記支持部材１５内には、ボルト１５ｅの螺合部を該支持部材１５の上面から突き出した形態で介在させて形成している。  
なお、上記支持部材１５における先端部の側面形状は、テーパ形状として地面と接触する点支持部１６を径細に構成している。
【００４３】
さらに、４本の支持部材１５を上記取付け部材１４における外周側に形成した４つの上記貫通孔に、下側からそれぞれ挿通し、上側からナット１５ｃによって締め付けて支持部材１５を取り付けている。  
なお、上記支持部材１５を上記取付け部材１４に取り付けたとき、上記取付け部材１４の外周端部１４ｃと上記支持部材１５の外側に位置する部位１５ｄとが面一致となるように取り付いている。ちなみに、上記構成の場合、このように取り付けたときの対角線上に位置する一対の支持部材１５における中心どうしの間隔は６０ｍｍとなる（目安として３０から５０ｍｍ程度の範囲内で使用形態に応じて形成する）。  
上記構成により、松葉杖１０の石突き装置１２を構成している。
【００４４】
次に、図３に示すごとく歩行者が上記構成を採る松葉杖１０を用いて階段を上昇動作する場合、松葉杖１０を接地したとき、石突き装置１２における４つの支持部材１５のうち、２つの支持部材１５が階段の上段面１７に、残りの２つの支持部材１５が下段側に位置し、階段の段差部（角部）をまたがる形態で接地した状態について着目する。
【００４５】
この際、歩行者が松葉杖１０に体重をあずけて松葉杖１０を押し付けたとき（押し付け力Ｆとする）、まず、上段面１７に２つの支持部材１５が接地するとともに、弾性結合部材１３がたわみ変形する。このようにたわみ変形することで、下段面１８においても２つの支持部材１５が接地する。
【００４６】
なお、上段面１７に接地している点支持部１６にはＦ’の力が作用しているとする。
【００４７】
ここで、上記たわみ変形が生じることにより、上段面１７に接地した２つの支持部材１５における各点支持部１６には曲げ応力Ｍ（Ｆ’×Ｌ１）が作用する。上記曲げ応力Ｍが作用する分だけ該各点支持部１６は上段面１７をさらに強く押し付けることができる。
【００４８】
すなわち、弾性結合部材１３を用いるとともに、松葉杖１０の重心軸線上２１からずらした距離（Ｌ１）を確保して、２つの点支持部１６で支持できる。よって、該点支持部１６が上段面１７における、手前側（角部２０付近）あるいは、角部２０よりもさらに奥側に接地されようが、略一定の曲げ応力による押し付け力を得ることができる。
【００４９】
また、上記点支持部１６が上段面１７における、角部２０よりもさらに奥側に接地された場合であっても、各支持部材１５の間の空間、すなわち、取付け部材１４の下側の空間に角部２０が入り込み、該角部２０が石突き装置１２に当接しないため、全ての点支持部１６が地面に接地するまで弾性結合部材１３をたわみ変形させることができる。
【００５０】
ちなみに、図１０に示すごとく支持部材２３の下面を面状に形成した場合、上述と同様にたわみ変形するが、上段面１７については、角部２０によって点接触で支持され、該点支持部１６には、該角部２０を押さえつける曲げ応力が作用する。
【００５１】
そして、この場合、松葉杖１０の重心軸線上２１と角部２０との間の距離（Ｌ２）が上記Ｌ１よりも短くなってしまうため、歩行者が上述と同じ大きさの力（Ｆ）を付与しても、上述の場合と比較して曲げ応力Ｍ’（Ｆ’×Ｌ２）は小さくなる。  
なお、例えば、重心軸線２１が角部２０と接近した状態で支持部材１５を接地すれば、松葉杖１０の重心軸線上２１と角部２０との間の距離（Ｌ２）がさらに小さくなるため、殆ど曲げ応力が作用しない。
【００５２】
また、図４（ａ）に示すごとく階段の段差部１９が大きい場合において、歩行者が接地面２４における、松葉杖１０の重心軸線２１が接地面からずれた部位に松葉杖１０を接地したとき、宙に浮いた状態に着目する。  
なお、図４では、見易さを優先して、構造を簡略化して現した。
【００５３】
上記状態で歩行者が松葉杖１０に体重をあずけると、弾性結合部材１３は、たわみ変形するが、図４（ｂ）に示すごとく上記石突き装置１２を備えた松葉杖１０は、上述と同様に支持部材１５における接地面２４に接触している点接地部１６には強力な曲げ応力が作用して確実に支えることができる。
【００５４】
しかも、点支持部１６は、水平な接地面上に接地した状態を維持することができ、力が作用してもスリップしてしまうことがなく、安定して支持することができる。
【００５５】
これに対して石突き装置２２の支持部材２３の下面を面状に形成した場合、図４（ｃ）に示すごとく歩行者が松葉杖１０に体重をあずけると、松葉杖１０の重心軸線２１が接地面２４からずれているため、弾性結合部材１３がたわみ変形すると、図４（ｄ）に示すごとく支持部材２３がスライドして滑り落ちてしまうため危険である。  
なお、仮に、支持部材１５をゴム等の弾性部材で形成しても歩行者が松葉杖１０に体重をあずけると、支持部材２３は歩行者を支持することができず支持部材２３が湾曲変形して滑り落ちてしまうため危険である。  
ここで、図４（ｂ）に示すごとく、松葉杖１０に体重をあずけているときの支持部材１５について着目する。  
支持部材１５は、略全体をゴム部材で形成しているため、支持部材１５（特に点支持部１６）が圧縮されて縮むことで接地面２４と、より密着する。  
しかも、支持部材１５自体もたわみ変形することによって生じる曲げ応力を、点支持部１６に作用させることができるため、より接地面２４に押し付けることができる。
【００５６】
また、上記石突き装置３０は、上記階段以外にも図５に示すごとく傾斜した地面３７、あるいは凹凸形状の地面３８であっても、好適な使用環境であるといえる。  
なお、図５においても図４と同様に、見易さを優先して、構造を簡略化して現した。
【００５７】
すなわち、図５（ａ）、（ｂ）において、歩行者が杖を接地すると、まず、任意の点支持部１６が地面３７、３８に接地するが、この点支持部１点による支持では杖は、不安定である。しかし、さらに歩行者が杖に体を預けることで、弾性結合部材１３は、たわみ変形するため、略全ての点支持部１６を地面３７、３８に接地することができる。
【００５８】
しかも、ここで、図５（ｂ）の場合に着目すると、上記石突き装置１２を、複数の点支持部１６により地面３８に対して接地するように構成することで、弾性結合部材１３がたわみ変形しても、各支持部材１５の間の空間３９、すなわち、取付け部材１４の下側の空間３９に、凹凸形状の地面の凸部３８ａが入り込み、該凸部３８ａが直接、支持部材１５や取付け部材１４等に当接しない。  
よって、略全ての点支持部１６を地面に接地させることができる。
【００５９】
ちなみに、図５（ｃ）、（ｄ）に示すごとく、石突き装置３０を複数点支持の構成とし、上記弾性結合部材１３を用いずに形成した杖の場合、上記地面３７、３８に接地すれば、基本的に初めに地面３７、３８と接触した１点でのみ杖（歩行者）を支持することとなる。  
この場合、１点支持であり、しかも点支持部１６が重心軸線上２１からずれているため不安定であり、地面３７、３８が濡れているとき等は特によくスリップしてしまい危険である。
【００６０】
またこの場合、杖を複数点で支持するためには、歩行者が接地面３７、３８の形状に応じて杖を傾ける必要がある。  
特に図５（ｄ）においては、凹凸形状の激しい地面３８においては、頻繁に杖を傾ける必要があり、杖としての機能を果たさない。
【００６１】
さらに、図５（ｅ）、（ｆ）に示すごとく、弾性結合部材１３を用いて構成し、支持部材２３を面状に形成した場合において、特に図５（ｅ）に示すごとく、傾斜面３７においては、該傾斜面３７の傾斜角度に応じて弾性結合部材１３がたわみ変形し、支持部材２３全体が地面３７に接地して杖を支えることができる。  
しかし、図５（ｆ）に示すごとく、上記凹凸形状の地面２８に杖を接地する場合、たわみ変形しようとするが、凹凸形状については、面支持することができず、安定して接地できないため、スリップしてしまう危険性がある。
【００６２】
以上より、上記石突き装置３０を装着した杖を用いることで、歩行者は、接地面が傾斜面３７、あるいは上記凹凸形状を含む地面３８であっても、水平面である場合と同様に安定して歩行することができる。
【００６３】
また、支持部材１５は、図６に示すごとく構成してもよい。  
すなわち、図６（ａ）に示すごとく、支持部材３１における点支持部３２を、吸盤で形成すれば、接地面２４が濡れて滑りやすい場合に効果的である。  
また、図６（ｂ）の場合は、支持部材３３における点支持部３４を、湾曲形状に形成すれば、歩行者が体重移動する際において、接地面２４に対して、松葉杖１０を傾いて接地しても点支持部３４を支点として安定して移動することができる。
【００６４】
なお、上記石付き装置１２は、点支持部１６を、全て松葉杖１０のシャフト部１１ａの軸線上２１をずらして形成したが、それらに加えて、上記支持部材１５（点支持部１６）を上記松葉杖１０の軸線上２１にも形成しても構わない。
【００６５】
上記構成を採れば、弾性結合部材１３が極端にたわみ変形したときに、取付け部材１４の中央部が直接、角部２０に当接せず、上記支持部材１５（点支持部１６）で支持することができる。
【００６６】
さらに、他の実施例として、上記石突き装置１２は、上記取付け部材１４を介さずに、直接支持部材１５を弾性結合部材１３の下部に取り付けて形成してもよい。例えば、図６（ｃ）に示すごとく、１つの支持部材３５につき点支持部３６を例えば、４つ（図では正面側の２つのみ表示）構成する等、１つの支持部材３５に対して複数の点支持部３６を構成して上記石突き装置１２を形成することができる。
【００６７】
また、ここでは、歩行者が松葉杖１０を用いて移動する場合を例に採り説明を行ったが、松葉杖１０の場合、歩行者は、意識的に力を付与せずとも自身の体重をあずけるだけで、弾性結合部材１３にたわみ変形させるだけの力を付与することができる。
【００６８】
このため、容易に大きな曲げ応力が発生させて確実に歩行者を支持することができる。すなわち、本発明の石突き装置１２は、図７に示すごとく松葉杖１０に限らず如何なる杖６０においても用いることができるが、松葉杖１０や図８に示す、ロフトランドクラッチ７０等の歩行者が自身の体重を積極的に付与して使用するタイプの杖が特に適しているといえる。
【００６９】
例えば、上記石突き装置１２を松葉杖１０に装着し、弾性係数の値が大きい弾性結合部材を用いた場合に着目する。この場合、歩行者は、松葉杖１０の下端を前方の地面に接地し、該接地した点を支点として歩行者が松葉杖１０を回動させて体重移動する。
【００７０】
この動作において、たわみ変形した弾性結合部材には、松葉杖１０を直立させようとする復元力が作用する。すなわち、上記復元力によって歩行者は、前方に体重を移動し易くなる。
【００７１】
また、今度は、歩行者が体重移動の後に着地する際にも、上述と同様にたわみ変形した弾性結合部材には、松葉杖１０を直立させようとする復元力が作用する。すなわち、上記復元力は、該着地する動作を緩衝させる方向に作用するため、歩行者が傷病人であっても安定して着地できる。  
以上からも、上記石突き装置１２は、松葉杖１０に用いることが特に適しているといえる。
【００７２】
次に、他の実施例として、図９（ａ）、（ｂ）に示すごとく、上記杖本体部１１よりも外周方向に張り出した部位の上側空間を閉塞する円錐状の閉塞布部材７１、７５を形成してもよい。  
図９（ａ）における上記閉塞布部材７１は、展開したとき台形形状をし、該台形形状の上端部に沿って紐部材７２が添着されている。上記紐部材７２は、該閉塞布部材７１の上端部における片側のみフラップ状に突き出している。
【００７３】
上記紐部材７２の先端の片面には、一方のスナップ７３ａを添着し、他方のスナップ７３ｂを上記閉塞布部材の上端部の反対側における、上記一方のスナップ７３ａを添着した面と反対側の面に添着している。
【００７４】
上記閉塞布部材７１の松葉杖１０への取り付けは、該閉塞布部材７１における上記紐部材７２を、上記シャフト部１１ａの下部における外周部に巻き付ける。さらに、歩行者は、上記一対のスナップ７３ａ、７３ｂを係止すれば取り付けることができる。  
以上により、上記シャフト部１１ａにおける、上記弾性結合部材１３よりも上記上側部位から、下降するにつれて外周方向に広がる側面形状となるよう上記弾性結合部材１３を囲繞することができる。
【００７５】
すなわち、上記構成を採れば、歩行中に松葉杖１０を次の接地点に移動する際、鉄柵や、石等に取付け部材１４が引っ掛かることがない。しかも、上記弾性結合部材１３がたわみ変形しても上記閉塞布部材７１の下端部は、自由端である。よって上記閉塞布部材によって歩行する動作が阻害されることがない。
【００７６】
また、図９（ｂ）に示すごとく、上記閉塞布部材７５は、上端部と同様に下端部にも上記紐部材７６、及びスナップ７７ａ、７７ｂを添着して上下両端部を該スナップ７７ａ、７７ｂで係止してもよい。
【００７７】
さらに上記閉塞布部材７５には、該閉塞布部材７５を杖本体部１１（シャフト部１１ａ）に取り付けたとき、側面に相当する外周面に上下方向の中央部に、上下に伸縮する所定の数の蛇腹伸縮部７８を形成している。
【００７８】
上記構成により、歩行中に、階段の角部、鉄柵や、石等に上記閉塞布部材７５が接触したときに捲れ上がることや、離間することもなく、確実に取付け部材１４が引っ掛かることを防止することができる。しかも、上記閉塞布部材７５における蛇腹伸縮部７８が収縮するため、上記閉塞布部材７５によって歩行動作が阻害されることがない。
【００７９】
その他、上記閉塞布部材７５をゴム等の弾性を有する材質で面状に形成してもよい。これにより蛇腹伸縮部７８を形成せずに上下両端を固定している状態であっても、該閉塞布部材７５を伸縮させることができる。
【００８０】
また、水平な地面に対して、上記石突き装置１２を装着した松葉杖１０は、上記点支持部１６を仮想同一平面上に配設し、該点支持部１６によって支持しているため、水平な地面に対して、何の支えも必要なく、直立させることができる。  
これにより、狭い店舗内等に持ち込んでも、邪魔にならないという効果を生じる。
【００８１】
また、松葉杖１０のように２本対で用いられる杖については、２本の杖を繋ぐ紐や、ベルト、スナップ等の係止手段を設けることで、かかる２本の杖を確実にまとめて直立させることができる。
【００８２】
上述の実施形態と、この発明の構成との対応において、
この実施形態の閉塞布部材７１、７５は、この発明の閉塞手段に対応するも、この発明は、上述の実施形態の構成のみに限定されるものではなく、多くの実施の形態を得ることができる。
【図面の簡単な説明】
【００８３】
【図１】本発明の石突き装置を装着した松葉杖の正面図。
【図２】本発明の石突き装置を一部断面で現した正面図（ａ）、本発明の石突き装置の底面図（ｂ）。
【図３】本発明の石突き装置の使用状態を現した正面図。
【図４】本発明の石突き装置の使用直前の状態図（ａ）、本発明の石突き装置の使用中の状態図（ｂ）、従来の石突き装置の使用直前の状態図（ｃ）、従来の石突き装置の使用中の状態図（ｄ）。
【図５】本発明の石突き装置の使用状態を現す正面図（ａ）、本発明の石突き装置の他の使用状態を現す正面図（ｂ）、従来の石突き装置の使用状態を現す正面図（ｃ）、従来の石突き装置の他の使用状態を現す正面図（ｄ）、従来の他の石突き装置の使用状態を現す正面図（ｅ）、従来の他の石突き装置の他の使用状態を現す正面図（ｆ）。
【図６】本発明の石突き装置の他の支持部材（ａ）、本発明の石突き装置のさらに他の支持部材（ｂ）、本発明の石突き装置の手段の他の支持部材（ｃ）。
【図７】本発明の石突き装置の装着した他の杖を現した正面図。
【図８】本発明の石突き装置の装着したさらに他の杖を現した正面図。
【図９】本発明の石突き装置の他の実施の形態を一部断面で現した正面図（ａ）、本発明の石突き装置のさらに他の実施の形態を一部断面で現した正面図（ｂ）。
【図１０】従来の石突き装置の使用状態を現す正面図。
【符号の説明】
【００８４】
１０…松葉杖
１１…杖本体部
１１ａ…シャフト部
１２…石突き装置
１３…弾性結合部材
１４…取付け部材
１５…支持部材
１６…点支持部
２１…松葉杖の重心軸線上
６０…杖
７０…ロフトランドクラッチ
７１、７５…閉塞布部材